(57)【要約】【課題】送信アンテナに送信信号を入力する送信用部品の所定の検査を行う場所の選択肢を広げ得るレーダ装置等の提供。【解決手段】接続装置は、所定の送信装置内で所定の第一信号を処理して出力する送信処理部の入力端が接続可能であり、前記送信装置に対し移動可能に設けられた接続部と、前記第一信号と同等の信号を前記接続部に供給する検査用信号生成部と、を備える。【選択図】      図１
2019092021.tif 000002
【特許請求の範囲】
【請求項１】
所定の送信装置内で所定の第一信号を処理して出力する送信処理部の入力端が接続可能であり、前記送信装置に対し移動可能に設けられた接続部と、
前記第一信号と同等の信号を前記接続部に供給する検査用信号生成部と、
を備える接続装置。
【請求項２】
前記接続部が、前記送信装置内において前記入力端が接続され得る送信装置内接続部と等しい仕様である、請求項１に記載された接続装置。
【請求項３】
前記同等の信号が、前記第一信号に異常が生じた場合に、前記第一信号に代えて前記送信処理部に入力する予備の構成からのものである、請求項１又は請求項２に記載された接続装置。
【請求項４】
前記第一信号を生成する生成部と、前記予備の構成とに、共通の励振信号から分配された信号が入力される、請求項３に記載された接続装置。
【請求項５】
前記送信処理部は、前記第一信号に対し、増幅処理と波形整形処理と移相処理とのうち少なくともいずれかを行う、請求項１乃至請求項４のうちのいずれか一に記載された接続装置。
【請求項６】
前記入力端を前記接続部に接続した状態で、前記送信処理部の出力端が接続可能に設けられた出力端接続部をさらに備える、請求項１乃至請求項５のうちのいずれか一に記載された接続装置。
【請求項７】
前記出力端接続部が、前記送信装置内において前記出力端が接続され得る送信装置内出力端接続部と等しい仕様である、請求項６に記載された接続装置。
【請求項８】
請求項１乃至請求項７のうちのいずれか一に記載された接続装置と、前記接続装置からの出力についての検査を行う検査部と、を備える検査装置。
【請求項９】
所定の送信装置内で所定の第一信号を処理して出力する送信処理部の入力端が接続可能であり、前記送信装置に対し移動可能に設けられた接続部と、
前記第一信号と同等の信号を前記接続部に供給する検査用信号生成部と、
を備える接続装置に、前記送信装置から取り外した前記送信処理部の前記入力端を装着した後に、前記送信処理部の出力に関する検査を行う、検査方法。
【請求項１０】
前記送信装置が、複数の前記送信処理部を備え、前記送信処理部の一つを取り外しても稼動が維持される冗長構成を備え、
前記検査が、前記稼動が行われている間に行われる、請求項９に記載された検査方法。
【発明の詳細な説明】
【技術分野】
【０００１】
本発明は、通信装置の備える部品を検査する方法に関する。
【背景技術】
【０００２】
レーダ装置においては、送信モジュールについての無線局検査データの取得が義務付けられている。ここで、送信モジュールは、フェーズドアレイレーダ装置においては、入力された励振信号のアンテナに供給するレベルの電力への増幅や、ビーム方向を変更させるための位相制御等を行う送信用部品である。なお、フェーズドアレイレーダ装置については、例えば、特許文献１に開示がある。
【０００３】
レーダ装置においてこの無線局検査データの取得を行う場合、稼動中に実際に使用され得る状態で入力信号を送信モジュールに入力して、その出力を検査する必要がある（非特許文献１参照）。そのため、一般的には、レーダ装置の稼動を停止するとともに、検査対象の送信モジュールに接続されたアンテナを送信モジュールから取り外し、その状態で、検査用の入力信号を送信モジュールに入力し、その出力を検査する方法が用いられる。
【先行技術文献】
【特許文献】
【０００４】
【特許文献１】特開２００７−１７８３３２号公報
【非特許文献】
【０００５】
【非特許文献１】スプリアス領域における不要発射等の測定方法例（情報通信審議会答申Ｈ１６．１１．２９（諮問第２００７  号関係））、［平成２９年１０月１９日検索］、インターネット（ｈｔｔｐ：／／ｗｗｗ．ｔｅｌｅ．ｓｏｕｍｕ．ｇｏ．ｊｐ／ｒｅｓｏｕｒｃｅ／ｊ／ｏｔｈｅｒｓ／ｓｐｕｒｉｏｕｓ／ｆｉｌｅｓ／ｓａｎｋｏ００３．ｐｄｆ）
【発明の概要】
【発明が解決しようとする課題】
【０００６】
しかしながら、背景技術の項で説明した一般的に行われている方法は、検査対象の送信モジュールに接続されたアンテナを送信モジュールから取り外し、その状態で検査を行うため、作業スペースが限られる。また、送信モジュールが実装されている場所は作業環境が良くない場合が多い。また、その場所は、レーダ装置の稼動中は立入りが制限されている場合がある。さらに、その場所は、送信モジュールの検査のために多くの計測器を持ちこむことが困難な場合が多い。これらを解決するためには、レーダ装置に、送信モジュールの検査を行い得る場所の選択肢を増やせる構成を採用することが有効である。
【０００７】
本発明は、送信アンテナに送信信号を入力する送信用部品の所定の検査を行う場所の選択肢を広げ得る接続装置等の提供を目的とする。
【課題を解決するための手段】
【０００８】
本発明の接続装置は、所定の送信装置内で所定の第一信号を処理して出力する送信処理部の入力端が接続可能であり、前記送信装置に対し移動可能に設けられた接続部と、前記第一信号と同等の信号を前記接続部に供給する検査用信号生成部と、を備える。
【発明の効果】
【０００９】
本発明の接続装置等は、送信アンテナに送信信号を入力する送信用部品の所定の検査を行う場所の選択肢を広げ得る。
【図面の簡単な説明】
【００１０】
【図１】本実施形態のレーダシステムの構成例を表す概念図である。
【図２】励振装置の構成例を表す概念図である。
【図３】アンテナ装置の構成例を表す概念図である。
【図４】送信ユニットの構成例を表す概念図である。
【図５】受信ユニットの構成例を表す概念図である。
【図６】擬似アンテナ装置アダプタの構成例を表す概念図である。
【図７】検査対象の送信モジュールの擬似アンテナ装置アダプタへの設置の様子を表す図である。
【図８】増幅部の構成例を表す概念図である。
【図９】実施形態の接続装置の最小限の構成を表すブロック図である。
【発明を実施するための形態】
【００１１】
図１は、本実施形態のレーダシステムの例であるレーダシステム１０１の構成を表す概念図である。また図２は、図１に表す励振装置１０６の構成を表す概念図である。また、図３は、図１に表すアンテナ装置１１６の構成を表す概念図である。また、図４は、図３に表す送信ユニット１１５の構成を表す概念図である。また、図５は、図３に表す受信ユニット１１７の構成を表す概念図である。また、図６は図１に表す擬似アンテナ装置アダプタ１３６の構成を表す概念図である。
【００１２】
なお、以下の図において実線で表す信号線は送受信信号に係る信号線である。また、一点破線で表す信号線は後述の検査に用いられる検査用信号に係る信号線である。また、破線で表す信号線は制御信号に係る信号線である。
【００１３】
図１に表すように、レーダシステム１０１は、励振装置１０６と、受信装置１１１と、アンテナ装置１１６と、制御装置１３１と、擬似アンテナ装置アダプタ１３６と、検査装置１４１とを備える。
【００１４】
レーダシステム１０１は、例えば、フェーズドアレイレーダ装置を備えるレーダシステムである。フェーズドアレイレーダ装置については、例えば、特許文献１に開示がある。
【００１５】
図１に表す励振装置１０６は、図２に表すように、信号発生部１０５と、周波数変換部１０７とを備える。
【００１６】
信号発生部１０５は、図１に表す制御装置１３１が送付する制御信号に従い、所定の変調信号を周波数変換部１０７に送付する。
【００１７】
周波数変換部１０７は、信号発生部１０５から送付された前記変調信号をより高周波なものにする周波数変換処理を行う。周波数変換部１０７は、当該周波数変換を図１に表す制御装置１３１から送付された制御信号により行う。周波数変換部１０７は、周波数変換後の変調信号である励振信号を、図１に表すアンテナ装置１１６に送付する。
【００１８】
図１に表すアンテナ装置１１６は、図３に表すように、送信ユニット１１５と、受信ユニット１１７とを備える。
【００１９】
そして、図３に表す送信ユニット１１５は、増幅部１１８と、分配部１１９と、ｎ個の接続部である接続部Ｃａ１乃至Ｃａｎと、ｎ個の送信モジュールである送信モジュールＭｓ１乃至Ｍｓｎと、を備える。送信ユニット１１５は、さらに、ｎ個の接続部である接続部Ｃｂ１乃至Ｃｂｎと、ｎ個の接続部である接続部Ｃｖ１乃至Ｃｖｎと、ｎ個の送信アンテナである送信アンテナＡｓ１乃至Ａｓｎと、を備える。
【００２０】
増幅部１１８は、励振装置１０６から送付された前記励振信号を増幅し第一増幅励振信号と第二増幅励振信号とを生成する。前記第二増幅励振信号は第一増幅励振信号と同等の信号である。
【００２１】
増幅部１１８は、前記第一増幅励振信号を、分配部１１９に送付する。
【００２２】
増幅部１１８は、前記第二励振信号を図１に表す擬似アンテナ装置アダプタ１３６に送付する。
【００２３】
増幅部１１８の構成例は、図８を参照して後述する。
【００２４】
分配部１１９は、入力された前記第一増幅励振信号を接続部Ｃａ１乃至Ｃａｎの各々に分配する。前記第一増幅励振信号は、前記分配により減衰し、ｎ本の第一分配信号になる。
【００２５】
接続部Ｃａ１乃至Ｃａｎの各々は、送信モジュールＭｓ１乃至Ｍｓｎの各々の一方の端子と脱着可能な構造になっている。また、接続部Ｃａ１乃至Ｃａｎの各々は、互いに、同じ仕様を有している。接続部Ｃａ１乃至Ｃａｎの各々は、対応する送信モジュールＭｓ１乃至Ｍｓｎの各々に装着された状態で、当該送信モジュールに前記第一分配信号を入力する。
【００２６】
送信モジュールＭｓ１乃至Ｍｓｎの各々は、対応する接続部Ｃａ１乃至Ｃａｎの各々から入力された前記第一分配信号に対し第一処理を行う。送信モジュールＭｓ１乃至Ｍｓｎの各々は、前記第一処理を、対応する接続部Ｃｖ１乃至Ｃｖｎの各々に図１に表す制御装置１３１から送付された第一制御信号により行う。前記第一制御信号は、例えば、送信信号のパルス幅、位相及びオン／オフを制御する信号である。
【００２７】
前記第一処理は、例えば、前記増幅励振信号を送信アンテナに供給し得るレベルの電力へ増幅する処理である。前記第一処理は、あるいは、例えば、前記増幅励振信号に対し、前記送信アンテナから放出される送信電波の放出方向を変更させるための位相制御処理である。前記第一処理は、あるいは、例えば、前記増幅励振信号に対し、スプリアス抑制のための波形整形を行う処理である。当該波形整形は、波形の立下りや立下りを鈍らす処理である。波形の立ち上がりや立下りに角があると、当該角の部分に高周波成分を持つ。当該高周波成分波はスプリアスをもたらすので、スプリアス抑制のためには波形の立ち上がりや立下りを鈍らす必要がある。そのため、波形の立上りや立下りを鈍らせるのである。
【００２８】
接続部Ｃｂ１乃至Ｃｂｎの各々は、送信モジュールＭｓ１乃至Ｍｓｎの各々の他方の端子と脱着可能な構造になっている。また、接続部Ｃｂ１乃至Ｃｂｎの各々は、互いに、同じ仕様を有している。接続部Ｃｂ１乃至Ｃｂｎの各々は、対応する送信モジュールＭｓ１乃至Ｍｓｎの各々に装着された状態で、当該送信モジュールから前記第一処理後の信号を受ける。前記信号は、送信信号として、対応する送信アンテナＡｓ１乃至Ａｓｎの各々に入力される。
【００２９】
送信アンテナＡｓ１乃至Ａｓｎの各々は、対応する送信モジュールＭｓ１乃至Ｍｓｎの各々から入力された前記送信信号を前記送信電波に変換し、無線空間に放出する。
【００３０】
図３に表す受信ユニット１１７は、図５に表すように、増幅部１２１と、合成部１２０と、ｍ個の接続部である接続部Ｃｄ１乃至Ｃｄｍと、ｍ個の受信モジュールである受信モジュールＭｒ１乃至Ｍｒｍと、を備える。受信ユニット１１７は、さらに、ｍ個の接続部である接続部Ｃｃ１乃至Ｃｃｍと、ｍ個の接続部である接続部Ｃｐ１乃至Ｃｐｍと、ｍ個の受信アンテナである受信アンテナＡｒ１乃至Ａｒｍと、を備える。
【００３１】
受信アンテナＡｒ１乃至Ａｒｍの各々は、無線空間を通じて到達した前記受信電波を受信信号に変換し、対応する接続部Ｃｃ１乃至Ｃｃｍの各々に送付する。
【００３２】
接続部Ｃｃ１乃至Ｃｃｍの各々は、対応する受信モジュールＭｒ１乃至Ｍｒｍの各々の図５における一方の端子と脱着可能な構造を備えている。また、接続部Ｃｃ１乃至Ｃｃｍの各々は、互いに、同じ仕様を有している。接続部Ｃｃ１乃至Ｃｃｍの各々は対応する受信モジュールと接続された状態で、その受信モジュールに前記受信信号を入力する。
【００３３】
受信モジュールＭｒ１乃至Ｍｒｍの各々は、対応する各受信アンテナから入力された前記受信信号に対して、第二処理を行う。受信モジュールＭｒ１乃至Ｍｒｍの各々は、前記第二処理を、対応する接続部Ｃｐ１乃至Ｃｐｎの各々に図１に表す制御装置１３１から送付された第二制御信号により行う。前記第二制御信号は、例えば、前記受信信号のオン／オフを制御する信号である。
【００３４】
前記第二処理は、例えば、低雑音増幅である。前記第二処理は、あるいは、例えば、前記受信信号に対し、前記受信電波についての所定のパターンを形成するための位相制御処理である。前記第二処理は、あるいは、例えば、前記受信信号に対して、前記受信信号のサイドローブを低減する振幅制御処理である。
【００３５】
接続部Ｃｄ１乃至Ｃｄｍの各々は、対応する受信モジュールＭｒ１乃至Ｍｒｍの各々の他方の端子と脱着可能な構造を備えている。また、接続部Ｃｄ１乃至Ｃｄｍの各々は、互いに、同じ仕様を有している。受信モジュールＭｒ１乃至Ｍｒｍの各々は、対応する接続部Ｃｄ１乃至Ｃｄｍの各々に接続された状態で、対応する接続部Ｃｄ１乃至Ｃｄｍの各々に、前記第二処理後の前記受信信号である処理後受信信号を入力する。
【００３６】
接続部Ｃｄ１乃至Ｃｄｍの各々に入力された前記処理後受信信号は、合成部１２０に入力される。
【００３７】
合成部１２０は、接続部Ｃｄ１乃至Ｃｄｍの各々から入力された前記処理後の信号の振幅を足し合わせる合成を行った合成受信信号を生成する。前記合成受信信号は、増幅部１２１に入力される。
【００３８】
増幅部１２１は、前記合成受信信号の振幅を増幅した増幅合成受信信号を生成し、図１に表す受信装置１１１に入力する。
【００３９】
図１に表す受信装置１１１は、アンテナ装置１１６から入力された前記増幅合成受信信号に対し、復調処理等を行う。そして、受信装置１１１は、復調処理後の信号により、前記送信電波を反射した物体の形状や大きさ等に係る情報を導出する。受信装置１１１は、当該情報を、出力する。当該出力は、例えば、表示部等への表示である。
【００４０】
図１に表す擬似アンテナ装置アダプタ１３６は、図６に表すように、減衰器１３７ａ及び１３７ｂと、接続部Ｃａｗ及びＣｂｗとを備える。
【００４１】
減衰器１３７ａは、増幅部１１８から入力された前記第二増幅励振信号を、前記第一分配信号と同等のレベルになるように減衰させた、第一検査入力信号にする。
【００４２】
なお、前記第一分配信号は前記第一増幅励振信号が、図４に表す分配部１１９による分配により減衰したものである。これに対し、前記第一検査信号は、前記第二増幅励振信号を減衰器により減衰させたものである。従い、前記第一分配信号と前記第一検査入力信号とでは、元の信号を減衰させる方法に違いがある。しかしながら、分配器及び減衰器はいずれも受動部品である。従い、減衰器が減衰させることにより生じた信号と分配器が減衰させることにより生じた信号とは、元の信号が同等である場合には同等であると考えられる。
【００４３】
減衰器１３７ｂは、接続部Ｃｂｗから入力された信号の信号レベルを調整した第二検査入力信号にする。
【００４４】
接続部Ｃａｗは、図４に表す接続部Ｃａ１乃至Ｃａｎの各々と等しい仕様を有している。そのため、接続部Ｃａｗは、図４に表す送信モジュールＭｓ１乃至Ｍｓｎの各々や、それらと同等の仕様の送信モジュールの一方の端子に装着され得る。
【００４５】
接続部Ｃｂｗは、図４に表すＣｂ１乃至Ｃｂｎの各々と等しい仕様を有している。そのため、接続部Ｃｂｗは、図４に表す送信モジュールＭｓ１乃至Ｍｓｎの各々や、それらと同等の仕様の送信モジュールの他方の端子に装着され得る。
【００４６】
接続部Ｃ１へは、図１に表す制御装置１３１から第三制御信号が入力される。接続部Ｃ１は、図４に表す送信モジュールＭｓ１乃至Ｍｓｎの各々の備える制御信号入力端子に接続され得る。
【００４７】
接続部Ｃ１が、送信モジュールの制御信号入力端子に接続された場合には、制御装置１３１から当該送信モジュールに、送信モジュールの検査のための第三制御信号が入力され得る状態になる。
【００４８】
第三制御信号は、装着された送信モジュールの出力信号の、パルス幅、位相及びオン／オフを制御する信号である。
【００４９】
第三制御信号は前述の第一制御信号とは異なる検査用の制御信号である。レーダシステム１０１がレーダ装置として稼動している間の、送信モジュールＭｓ１乃至Ｍｓｎの各々からの送信信号のパルス諸元（パルス幅等）は、レーダシステム１０１の測距対象の目標の距離等に応じて、様々な値を取る。当該パルス諸元は、前記第一制御信号により制御される。従い、前記第一信号をそのまま検査用に用いると、
測定時にパルス諸元が変動するため、検査が困難である。そのため、検査対象の送信モジュールに対し特定のパルス諸元のパルスについてのみ出力させ、特定のパルス諸元のパルスについてのみ検査を可能にする前記第三制御信号が必要になる。
【００５０】
前記第三制御信号は、例えば、第一制御信号と第一信号における、送信モジュールに特定の諸元のパルスを出力させる信号部分のみを有効にするトリガ信号とを組み合わせたものである。
【００５１】
図４に表す送信モジュールＭｓ１乃至Ｍｓｎの各々について前記検査を行う場合は、検査対象とする送信モジュールを、対応する接続部Ｃａ１乃至Ｃａｎの各々、及び対応する接続部Ｃｂ１乃至Ｃｂｎの各々から取り外す。
【００５２】
図１に表すレーダシステム１０１は、送信モジュールＭｓ１乃至Ｍｓｎのうちの少なくとも一つがなくても、レーダ装置としての前述の動作を行い得る冗長構成を有している。そのため、図４に表す送信モジュールＭＳ１乃至ＭＳｎのうちの検査対象とする一つを取り外しても、レーダシステム１０１は稼動を継続し得る。
【００５３】
取り外された検査対象の送信モジュールは、図６に表す接続部Ｃａｗ及びＣｂｗに装着される。
【００５４】
擬似アンテナ装置アダプタ１３６における前記送信モジュールの接続部は、アンテナ装置１１６における前記送信モジュールの接続部と同じ仕様になっている。そのため、擬似アンテナ装置アダプタ１３６の前記接続部が検査対象の前記送信モジュールの出力に及ぼす影響は、アンテナ装置１１６の前記接続部が前記送信モジュールの出力に及ぼす影響に等しいことが想定される。
【００５５】
検査装置１４１は、擬似アンテナ装置アダプタ１３６から送付された検査用信号について、所定の検査を行う。当該検査は、例えば、スプリアス領域による不要発射等の測定である。レーダ装置についてのスプリアス領域による不要発射等の測定方法は、非特許文献１に開示がある。
【００５６】
制御装置１３１は、励振装置１０６、受信装置１１１及びアンテナ装置１１６の各々に制御信号を送付することにより、これらにレーダ装置としての動作を行わせる。当該動作は、前述の測定対象についての形状や位置の測定である。当該動作の内容は周知なので、ここではその説明を省略する。
【００５７】
図７は、送信モジュールの検査を行う際の、検査対象送信モジュールの擬似アンテナ装置アダプタ１３６への設置の様子を表す図である。図７においては、図４に表す送信モジュールＭｓ１乃至Ｍｓｎのうちの検査対象とする一つである被検査送信モジュールＭｓｗは、接続部Ｃａｗ及びＣｂｗに装着されている。
【００５８】
図８は、図４に表す増幅部１１８の例である増幅部１１８ａの構成を表す概念図である。増幅部１１８ａは、分配器１２２と、増幅器１２３ａ及び１２３ｂと、スイッチ１２４及び１２５とを備える。
【００５９】
分配器１２２は、図１に表す励振装置１０６から入力された前述の励振信号を分配し、増幅器１２３ａに第一励振信号を、増幅器１２３ｂに第二励振信号を、それぞれ、入力する。前記第一励振信号と前記第二励振信号とは同等のものである。
【００６０】
増幅器１２３ａと増幅器１２３ｂとは、同等の入出力特性を有する。増幅器１２３ｂは、増幅器１２３ａに不良等が生じた場合に、増幅器１２３ａを置き換えるスペアという位置づけで設置されたものである。増幅部１１８ａは、スペアである増幅器１２３ｂを検査用の前記増幅励振信号を生成するための増幅器として用いる。
【００６１】
増幅器１２３ａは分配器１２２から入力された前記第一励振信号を増幅し、前記第一増幅励振信号を生成する。増幅器１２３ａは、生成した前記第一増幅励振信号をスイッチ１２４の端子Ｔ１に入力する。
【００６２】
増幅器１２３ｂは、分配器１２２から入力された前記第二励振信号を増幅し、前記第二増幅励振信号を生成する。前述のように、前記第一励振信号と前記第二励振信号とは略均等である。また、前述のように、増幅器１２３ｂは増幅器１２３ａのスペアとして持ち得るものである。従い、前記第一増幅励振信号は前記第二増幅励振信号と同等のものである。
【００６３】
スイッチ１２４は、制御装置１３１から送付される制御信号が第一ｂ制御信号の場合は、端子Ｔ１と端子Ｔ３とを短絡させ、かつ、端子Ｔ２と端子Ｔ４とを短絡させる。前記第一ｂ制御信号は、増幅器１２３ａに異常が生じていない場合に制御装置１３１がスイッチ１２４及び１２５に送付する制御信号である。
【００６４】
これにより、増幅器１２３ａからの前記第一増幅励振信号は、図４に表す分配部１１９に送付され、増幅器１２３ｂからの前記第二増幅励振信号は、スイッチ１２５の端子Ｔ５に送付される。
【００６５】
スイッチ１２４は、制御装置から送付される制御信号が第二ｂ制御信号の場合は、端子Ｔ２と端子Ｔ３とを短絡させ、かつ、端子Ｔ１と端子Ｔ４とを短絡させる。前記第二ｂ制御信号は、増幅器１２３ａに異常が生じた場合に制御装置１３１がスイッチ１２４及び１２５に送付する制御信号である。
【００６６】
これにより、増幅器１２３ｂからの第二増幅励振信号は、図４に表す分配部１１９に送付される。また、スイッチ１２５の端子Ｔ５は増幅器１２３ａの出力端子に接続される。
【００６７】
スイッチ１２５は、制御装置１３１から送付される制御信号が前記第一制御信号の場合は、端子Ｔ５と端子Ｔ６とを短絡させる。これにより、増幅器１２３ｂからスイッチ１２４の端子Ｔ２に入力された前記第二増幅励振信号は、端子Ｔ４、Ｔ５及びＴ６を経由して、図１に表す擬似アンテナ装置アダプタ１３６に入力される。
【００６８】
一方、スイッチ１２５は、制御装置１３１から送付される制御信号が前記第二ｂ制御信号の場合は、端子Ｔ５と端子Ｔ７とを短絡させる。当該短絡は、増幅器１２３ａの出力端を終端し、全反射等による予期せぬ動作を防ぐために行うものである。
【００６９】
図８に表す増幅部１１８ａが備える増幅器１２３ｂは、レーダシステム１０１がレーダ装置として稼動している際に、通常は検査以外では用いられないものである。増幅部１１８ａは、増幅器１２３ａが破損した際に、スイッチ１２４を切替えることにより増幅器１２３ｂをレーダ装置の稼動用に変更することを可能にする。増幅部１１８ａは、上記のような冗長構成を備えることにより、レーダシステム１０１の平均故障間隔を増加させ得る。
［効果］
本実施形態のレーダシステムは、送信モジュールの所定の検査を行う際に、設置場所から離れた場所に設置し得る擬似アンテナ装置アダプタに各モジュールを装着する。そして稼動時に用いることが可能な、予備の増幅器から出力される、前記第一検査入力信号により、各モジュールについての前記検査を行う。そのため、前記レーダシステムは、稼動時に用いることが可能な送信モジュールへの入力信号による前記検査を行い得る場所の選択肢を増やすことを可能にする。
【００７０】
前記第一検査入力信号は、前記レーダシステムがレーダ装置として稼動しているときに各送信モジュールに入力される前記第一分配信号と同等のものである。また、前記擬似アンテナ装置アダプタが備える各接続部は、前記稼動時に用いられる各接続部と同じ仕様のものである。そのため、本実施形態のレーダシステムは、前記送信モジュールの検査を、前記稼動に用いる状態と同等の状態で行うことを可能にする。
【００７１】
また、前記レーダシステムは、前述のように、少なくとも一つのモジュールを取り外しても所定の動作に影響がないものである。そのため、前記レーダシステムは、前記動作と前記検査とを同時に行うことを可能にし得る。
【００７２】
図９は、実施形態の接続装置の最小限の構成である接続装置１３６ｘの構成を表すブロック図である。
【００７３】
接続装置１３６ｘは、接続部Ｃａｗｘと検査用信号生成部１１８ｘとを備える。
【００７４】
接続部Ｃａｗｘは、所定の送信装置内で所定の第一信号を処理して出力する送信処理部の入力端が接続可能である。接続部Ｃａｗｘは、また、前記送信装置に対し移動可能に設けられている。
【００７５】
検査用信号生成部１１８ｘは、前記第一信号と同等の信号を接続部Ｃａｗｘに供給する。
【００７６】
接続部Ｃａｗｘに前記入力端が接続された場合に、前記入力端には、前記第一信号と同等の信号が供給される。
【００７７】
前記入力端に前記第一信号と同等の信号が供給された場合の前記送信処理部からの出力は、前記入力端に前記第一信号が入力された場合の前記送信処理部からの出力と同等である。また、接続部Ｃａｗｘは、また、前記送信装置に対し移動可能に設けられている。
【００７８】
そのため、接続装置１３６ｘは、前記送信用部品を前記稼動時の設置場所から離れた場所に移動させて前記出力についての検査を行うことを可能にする。
【００７９】
すなわち、接続装置１３６ｘは、前記送信用部品の所定の検査を行う場所の選択肢を広げ得る。
【００８０】
そのため、接続装置１３６ｘは、前記構成により、［発明の効果］の項に記載した効果を奏する。
【００８１】
なお、上記説明において、接続装置１３６ｘは、例えば、図１、図６又は図７に表す擬似アンテナ装置アダプタ１３６と、図４に表す増幅部１１８又は図８に表す増幅部１１８ａとを組み合わせたものである。
【００８２】
また、前記送信処理部は、例えば、図４に表す送信モジュールＭｓ１乃至Ｍｓｎの各々である。
【００８３】
また、接続部Ｃａｗｘは、例えば、図６又は図７に表す接続部Ｃａｗである。
【００８４】
また、検査用信号生成部１０５ｘは、例えば、図４に表す増幅部１１８又は図８に表す増幅部１１８ａと、図７乃至図８に表す減衰器１３７ａとを組み合わせたものである。
【００８５】
以上、本発明の各実施形態を説明したが、本発明は、前記した実施形態に限定されるものではなく、本発明の基本的技術的思想を逸脱しない範囲で更なる変形、置換、調整を加えることができる。例えば、各図面に示した要素の構成は、本発明の理解を助けるための一例であり、これらの図面に示した構成に限定されるものではない。
【００８６】
また、前記の実施形態の一部又は全部は、以下の付記のようにも記述され得るが、以下には限られない。
（付記１）
所定の送信装置内で所定の第一信号を処理して出力する送信処理部の入力端が接続可能であり、前記送信装置に対し移動可能に設けられた接続部と、
前記第一信号と同等の信号を前記接続部に供給する検査用信号生成部と、
を備える接続装置。
（付記２）
前記同等の信号が前記第一信号の代わりに用い得るものである、付記１に記載された接続装置。
（付記３）
前記送信処理部が、前記第一信号に第一の処理を行った送信信号を、前記送信装置の送信アンテナに入力する、付記１又は付記２に記載された接続装置。
（付記４）
前記接続部が、前記送信装置内において前記入力端が接続され得る送信装置内接続部と等しい仕様である、付記１乃至付記３のうちのいずれか一に記載された接続装置。
（付記５）
前記同等の信号が、前記第一信号に異常が生じた場合に、前記第一信号に代えて前記送信処理部に入力する予備の構成からのものである、付記１乃至付記４のうちのいずれか一に記載された接続装置。
（付記６）
前記第一信号を生成する生成部と、前記予備の構成とに、共通の励振信号から分配された信号が入力される、付記５に記載された接続装置。
（付記７）
前記送信処理部は、前記第一信号に対し、増幅処理と波形整形処理とを行う、付記１乃至付記５のうちのいずれか一に記載された接続装置。
（付記８）
前記波形整形処理が、スプリアス領域の不要発射を抑制するための処理である、付記７に記載された接続装置。
（付記９）
前記波形整形処理が、信号の立上り及び立下りを鈍らす処理である、付記７又は付記８に記載された接続装置。
（付記１０）
前記送信処理部は、前記第一信号に対し移相処理を行う、付記７乃至付記９のうちのいずれか一に記載された接続装置。
（付記１１）
前記入力端を前記接続部に接続した状態で、前記送信処理部の出力端が接続可能に設けられた出力端接続部をさらに備える、付記１乃至付記１０のうちのいずれか一に記載された接続装置。
（付記１２）
前記出力端接続部が、前記送信装置内において前記出力端が接続され得る送信装置内出力端接続部と等しい仕様である、付記１１に記載された接続装置。
（付記１３）
前記送信装置がレーダ装置である付記１乃至付記１２のうちのいずれか一に記載された接続装置。
（付記１４）
付記１乃至付記１３のうちのいずれか一に記載された接続装置と、前記接続装置からの出力についての検査を行う検査部と、を備える検査装置。
（付記１５）
付記１乃至付記１３のうちのいずれか一に記載された接続装置と、前記送信装置とを備える通信システム。
（付記１６）
所定の送信装置内で所定の第一信号を処理して出力する送信処理部の入力端が接続可能であり、前記送信装置に対し移動可能に設けられた接続部と、
前記第一信号と同等の信号を前記接続部に供給する検査用信号生成部と、
を備える接続装置に、前記送信装置から取り外した前記送信処理部の前記入力端を装着した後に、前記送信処理部の出力に関する検査を行う、検査方法。
（付記１７）
前記検査が、スプリアス領域の不要発射についてのものである、付記１６に記載された検査方法。
（付記１８）
前記送信装置が、複数の前記送信処理部を備え、前記送信処理部の一つを取り外しても稼動が維持される冗長構成を備え、
前記装着が、前記稼動が行われている間に行われる、付記１６又は付記１７に記載された検査方法。
（付記１９）
前記送信装置が、複数の前記送信処理部を備え、前記送信処理部の一つを取り外しても稼動が維持される冗長構成を備え、
前記検査が、前記稼動が行われている間に行われる、付記１６又は付記１７に記載された検査方法。
【符号の説明】
【００８７】
１０１    レーダシステム
１０６    励振装置
１０５    信号発生部
１０７    周波数変換部
１１１    受信装置
１１６    アンテナ装置
１１５    送信ユニット
１１７    受信ユニット
１１８、１１８ａ、１２１    増幅部
１１８ｘ    検査用信号生成部
１１９    分配部
１２０    合成部
１２２    分配器
１２３ａ、１２３ｂ    増幅器
１２４、１２５    スイッチ
１３１    制御装置
１３６    擬似アンテナ装置アダプタ
１３７ａ、１３７ｂ    減衰器
１４１    検査装置
Ａｓ１、Ａｓ２、Ａｓｎ    送信アンテナ
Ａｒ１、Ａｒ２、Ａｒｍ    受信アンテナ
Ｃ１、Ｃａ１、Ｃａ２、Ｃａｎ、Ｃｂ１、Ｃｂ２、Ｃｂｎ、Ｃｃ１、Ｃｃ２、Ｃｃｍ、Ｃｄ１、Ｃｄ２、Ｃｄｍ、Ｃａｗ、Ｃｂｗ、Ｃａｗｘ、Ｃｐ１、Ｃｐ２、Ｃｐｎ、Ｃｖ１、Ｃｖ２、Ｃｖｎ    接続部
Ｍｓ１、Ｍｓ２、Ｍｓｎ    送信モジュール
Ｍｓｗ    被検査送信モジュール
Ｍｒ１、Ｍｒ２、Ｍｒｍ    受信モジュール
Ｍｒｗ    被検査受信モジュール
【図１】
2019092021.tif 000003
【図２】
2019092021.tif 000004
【図３】
2019092021.tif 000005
【図４】
2019092021.tif 000006
【図５】
2019092021.tif 000007
【図６】
2019092021.tif 000008
【図７】
2019092021.tif 000009
【図８】
2019092021.tif 000010
【図９】
2019092021.tif 000011